(57)【要約】      （修正有）【課題】ドア(窓)の外側フレームと内側フレームを連続的に開く多段ロックに関し、簡単な構造の多段ロックを提供する。【解決手段】多段ロックは、固定フレーム１０と、内側フレーム３０と、固定及び内側両フレーム１０，３０間に取り付けられた外側フレーム２０と、固定及び内側両フレーム１０，３０に取り付けられた複数のストッパ１１，１２，３１，３２と、外側フレーム２０に取り付けられた２つのスライドパネル４１，４２と、両スライドパネル４１，４２に接続された取っ手組立体とを有する。少なくとも１つの取っ手４３１が回されると、ストッパ１１，１２，３１，３２の停止突起１１１，１１２，３１１，３１２がスライドパネル４１，４２上の制限突起４１１，４１２，４２１，４２２と選択的に係合する。その結果、内側及び外側両フレーム３０，２０が選択的に開かれる。【選択図】図１
2011220097.tif 000002
【特許請求の範囲】
【請求項１】
環状の枠組みで、固定フレームの内周面に固定取り付けされた少なくとも１つの外側主ストッパを有する固定フレームと、
環状の枠組みで、前記固定フレームに取り付けられ旋回自在に接続された外側フレームと、
前記外側フレームに取り付けられ旋回自在に接続された内側フレームと、
前記外側フレームの開き側枠縁に取り付けられたロック装置とを備え、
前記少なくとも１つの外側主ストッパの各々は、当該外側主ストッパから突出した第１の停止突起、及び当該外側主ストッパから突出した第２の停止突起を有し、
前記外側フレームは、前記固定フレームに旋回自在に接続されたピボット側枠縁、及び前記少なくとも１つの外側主ストッパと対応する開き側枠縁を有し、
前記内側フレームは、前記外側フレームのピボット側枠縁に旋回自在に接続されたピボット側枠縁と、前記外側フレームの開き側枠縁と対応する開き側枠縁と、前記内側フレームの外周面に固定取り付けされ前記内側フレームの開き側枠縁と対応する少なくとも１つの内側主ストッパとを有し、
前記少なくとも１つの内側主ストッパの各々は、当該内側主ストッパから突出した第３の停止突起、及び当該内側主ストッパから突出した第４の停止突起を有し、
前記ロック装置は、
細長く、前記外側フレームの外周面に取り付けられ、前記外側フレームの開き側枠縁と対応する外側スライドパネルと、
前記外側スライドパネルに取り付けられた少なくとも１つの外側主制限突起であって、各々が前記固定フレームの前記少なくとも１つの外側主ストッパの１つと対応し、前記外側主ストッパの第１及び第２の停止突起と選択的に係合する少なくとも１つの外側主制限突起と、
細長く、前記外側フレームの内周面に取り付けられ、前記外側フレームの開き側枠縁と対応する内側スライドパネルと、
前記内側スライドパネルに取り付けられた少なくとも１つの内側主制限突起であって、各々が前記内側フレームの前記少なくとも１つの内側主ストッパの１つと対応し、前記内側主ストッパの第３及び第４の停止突起と選択的に係合する少なくとも１つの内側主制限突起と、
前記外側フレームに取り付けられ、前記外側及び内側両スライドパネルに接続され、前記外側フレームに取り付けられた少なくとも１つの取っ手を有し、前記外側及び内側両スライドパネルに接続されて両スライドパネルを作動する取っ手組立体と、
を有することを特徴とする多段ロック。
【請求項２】
前記固定フレームは更に、前記固定フレームの内周面に固定取り付けされ、前記少なくとも１つの外側主ストッパと縦方向に整列して配置された少なくとも１つの外側副ストッパを有し、少なくとも１つの外側副ストッパの各々は当該外側副ストッパから突出した外側停止突起を有しており、
前記内側フレームは更に、前記内側フレームの外周面に固定取り付けされ、前記内側フレームの開き側枠縁と対応し、前記少なくとも１つの内側主ストッパと縦方向に整列して配置された少なくとも１つの内側副ストッパを有し、少なくとも１つの内側副ストッパの各々は当該内側副ストッパから突出した内側停止突起を有しており、
前記ロック装置は更に、
前記外側スライドパネルに取り付けられた少なくとも１つの外側副制限突起であって、各々が前記固定フレームの前記少なくとも１つの外側副ストッパの１つと対応し、当該外側副ストッパの外側停止突起と選択的に係合する少なくとも１つの外側副制限突起と、
前記内側スライドパネルに取り付けられた少なくとも１つの内側副制限突起であって、各々が前記内側フレームの前記少なくとも１つの内側副ストッパの１つと対応し、当該内側副ストッパの内側停止突起と選択的に係合する少なくとも１つの内側副制限突起と、
を有することを特徴とする請求の範囲第１項に記載の多段ロック。
【請求項３】
前記第２の停止突起は、前記少なくとも１つの外側主ストッパの前記第１の停止突起から離れており、
前記第４の停止突起は、前記少なくとも１つの内側主ストッパの前記第３の停止突起に隣接して位置することを特徴とする請求項１又は請求項２に記載の多段ロック。
【請求項４】
前記少なくとも１つの内側主ストッパの前記第３の停止突起と前記第４の停止突起は一体状に形成されていることを特徴とする請求項３に記載の多段ロック。
【請求項５】
前記取っ手組立体は、前記外側フレームの内面と外面にそれぞれ取り付けられ、相互に接続されると共に、相互によって作動される２つの取っ手を有することを特徴とする請求項３に記載の多段ロック。
【請求項６】
環状の枠組みである固定フレームと、
環状の枠組みで、前記固定フレームに取り付けられ旋回自在に接続された外側フレームと、
前記外側フレームに取り付けられ旋回自在に接続された内側フレームと、
前記外側フレームの開き側枠縁に取り付けられたロック装置とを備え、
前記固定フレームは、内周面、及び前記固定フレームの内周面に固定取り付けされた少なくとも１つの外側主ストッパで、各々が当該外側主ストッパから突出した停止突起を有する少なくとも１つの外側主ストッパを有し、
前記外側フレームは、外周面と、内周面と、前記固定フレームに旋回自在に接続されたピボット側枠縁と、前記少なくとも１つの外側主ストッパと対応する開き側枠縁とを有し、
前記内側フレームは、外周面と、前記外側フレームのピボット側枠縁に旋回自在に接続されたピボット側枠縁と、前記外側フレームの開き側枠縁と対応する開き側枠縁と、前記内側フレームの外周面に固定取り付けされ、前記内側フレームの開き側枠縁と対応する少なくとも１つの内側主ストッパで、各々が当該内側主ストッパから突出した停止突起を有する少なくとも１つの内側主ストッパとを有し、
前記ロック装置は、
細長く、前記外側フレームの外周面に取り付けられ、前記外側フレームの開き側枠縁と対応する外側スライドパネルと、
前記外側スライドパネルに取り付けられた少なくとも１つの第１の外側主制限突起と、
前記外側スライドパネルに取り付けられた少なくとも１つの第２の外側主制限突起であって、前記少なくとも１つの第１の外側主制限突起の各々及び前記少なくとも１つの第２の外側主制限突起の各々が前記少なくとも１つの外側主ストッパの１つと対応し、当該外側主ストッパの停止突起と選択的に係合する前記第２の外側主制限突起と、
細長く、前記外側フレームの内周面に取り付けられ、前記外側フレームの開き側枠縁と対応する外側スライドパネルと、
前記内側スライドパネルに取り付けられた少なくとも１つの第３の外側主制限突起と、
前記内側スライドパネルに取り付けられた少なくとも１つの第４の外側主制限突起であって、前記少なくとも１つの第３の内側主制限突起の各々及び前記少なくとも１つの第４の内側主制限突起の各々が前記少なくとも１つの内側主ストッパの１つと対応し、当該内側主ストッパの停止突起と選択的に係合する前記第４の外側主制限突起と、
前記外側フレームに取り付けられ、前記外側及び内側両スライドパネルに接続され、前記外側フレームに取り付けられた少なくとも１つの取っ手を有し、前記外側及び内側両スライドパネルに接続されて両スライドパネルを作動する取っ手組立体と、
を有することを特徴とする多段ロック。
【請求項７】
前記固定フレームは更に、前記固定フレームの内周面に固定取り付けされ、前記少なくとも１つの外側主ストッパと縦方向に整列して配置された少なくとも１つの外側副ストッパを有し、少なくとも１つの外側副ストッパの各々は当該外側副ストッパから突出した外側停止突起を有しており、
前記内側フレームは更に、前記内側フレームの外周面に固定取り付けされ、前記内側フレームの開き側枠縁と対応し、前記少なくとも１つの内側主ストッパと縦方向に整列して配置された少なくとも１つの内側副ストッパを有し、少なくとも１つの内側副ストッパの各々は当該内側副ストッパから突出した内側停止突起を有しており、
前記ロック装置は更に、
前記外側スライドパネルに取り付けられた少なくとも１つの外側副制限突起であって、各々が前記固定フレームの前記少なくとも１つの外側副ストッパの１つと対応し、前記外側副ストッパの外側停止突起と選択的に係合する少なくとも１つの外側副制限突起と、
前記内側スライドパネルに取り付けられた少なくとも１つの内側副制限突起であって、各々が前記内側フレームの前記少なくとも１つの内側副ストッパの１つと対応し、前記内側副ストッパの内側停止突起と選択的に係合する少なくとも１つの内側副制限突起と、
を有することを特徴とする請求項６に記載の多段ロック。
【請求項８】
前記少なくとも１つの第２の外側主制限突起の各々は、前記外側スライドパネル上の前記少なくとも１つの第１の外側主制限突起の対応するものから離れており、
前記少なくとも１つの第４の内側主制限突起の各々は、前記内側スライドパネル上の前記少なくとも１つの第３の内側主制限突起の対応するものに隣接して位置することを特徴とする請求項６又は請求項７に記載の多段ロック。
【請求項９】
前記取っ手組立体は、前記外側フレームの内面と外面にそれぞれ取り付けられ、相互に接続されると共に、相互によって作動される２つの取っ手を有することを特徴とする請求項８に記載の多段ロック。
【発明の詳細な説明】
【技術分野】
【０００１】
本発明は多段ロックに関し、特にドア(窓)の外側フレームと内側フレームを連続的に開く多段ロックに関する。
【背景技術】
【０００２】
建物の壁に設けられた開口は、人や光、風の通過を可能にしている。建物の開口を選択的に開閉するため、その建物の開口にはドアパネル（窓）が取り付けられる。しかし、従来のドアパネル（窓）が開かれると、建物の開口も全体的に開かれる。屋内にいる人が従来のドアパネル（窓）を開く前に屋外の状況を知らないと、危険が生じることがある。あるいは、屋外の天候により、従来のドアパネル（窓）を部分的に開いておけないと、屋内の正常な環境が風で乱されてしまうことがある。
【発明の概要】
【発明が解決しようとする課題】
【０００３】
上記の欠点を考慮し、従来の追加ドアパネル（窓）を有する従来の主体ドアパネル（窓）は、屋外の状況を判断したり、あるいは屋内空気の換気のために、追加ドアパネル（窓）が開けられるように設計されている。しかし、従来の主体ドアパネル（窓）及び従来の追加ドアパネル（窓）は２つの取っ手組立体（ハンドルアセンブリ）によってそれぞれ作動されるため、これら従来の両ドアパネル（窓）用のロック機構は複雑になる。
【課題を解決するための手段】
【０００４】
本発明の主な目的は、多段ロックを提供することにある。多段ロックは、固定フレームと、固定フレームに取り付けられた外側フレームと、外側フレームに取り付けられた内側フレームと、固定及び内側両フレームに取り付けられた複数のストッパと、外側フレームに取り付けられた２つのスライドパネルと、これらのスライドパネルに接続された取っ手組立体とを有する。
【発明の効果】
【０００５】
ストッパの停止突起とスライドパネル上の制限突起との相対的な位置関係により、少なくとも一方の取っ手が回されると、スライドパネル上の制限突起がストッパの停止突起と選択的に係合する。その結果、内側及び外側フレームが選択的に開かれる。本多段ロックは簡単な構造を有し、屋外の状況や天候状態に基づき、ドアパネル（窓）を開くかどうか決めるのを可能とする。
【図面の簡単な説明】
【０００６】
【図１】本発明に基づく多段ロックの第１の実施形態の正面図で、閉じられた外側フレーム及び内側フレームを示す。
【図２】図１の多段ロックの拡大正面図で、閉じられた外側フレーム及び内側フレームを示す。
【図３】図１の多段ロックの部分断面平面図で、閉じられた外側フレーム及び内側フレームを示す。
【図４】図１の多段ロックの部分断面拡大平面図で、閉じられた外側フレーム及び内側フレームを示す。
【図５】図１の多段ロックの正面図で、開かれた外側フレーム及び閉じられた内側フレームを示す。
【図６】図１の多段ロックの部分断面拡大平面図で、開かれた外側フレーム及び閉じられた内側フレームを示す。
【図７】図１の多段ロックの正面図で、開かれた外側フレーム及び内側フレームを示す。
【図８】図１の多段ロックの部分断面拡大平面図で、開かれた外側フレーム及び内側フレームを示す。
【図９】本発明に基づく多段ロックの第２の実施形態の正面図で、閉じられた外側フレーム及び内側フレームを示す。
【図１０】図１０の多段ロックの正面図で、開かれた外側フレーム及び内側フレームを示す。
【図１１】図１０の多段ロックの正面図で、開かれた外側フレーム及び内側フレームを示す。
【発明を実施するための形態】
【０００７】
図１及び図３を参照すれば、本発明に基づく多段ロックの第１の好ましい実施形態が、建物に形成された開口に取り付けられており、固定フレーム１０と、外側フレーム２０と、内側フレーム３０と、ロック装置４０とを備えている。
【０００８】
更に図２を参照すると、固定フレーム１０は環状の枠組みで、建物開口の周囲に形成された内周面に沿って取り付けられており、少なくとも１つの外側主ストッパ１１と少なくとも１つの外側副ストッパ１２を有する。
【０００９】
少なくとも１つの外側主ストッパ１１は、固定フレーム１０の内周面に固定取り付けされている。少なくとも１つの外側主ストッパ１１の各々は、第１の停止突起１１１と第２の停止突起１１２を有する。第１の停止突起１１１は、外側主ストッパ１１から突出している。第２の停止突起１１２は外側主ストッパ１１から突出し、第１の停止突起１１１から離れている。
【００１０】
少なくとも１つの外側副ストッパ１２は、固定フレーム１０の内周面に固定取り付けされ、少なくとも１つの外側主ストッパ１１と縦方向に整列して配置されている。少なくとも１つの外側副ストッパ１２の各々は、当該外側副ストッパ１２から突出した外側停止突起１２１を有する。
【００１１】
外側フレーム２０は環状の枠組みで、固定フレーム１０に取り付けられると共に旋回自在に接続され、ピボット側枠縁（pivot stile）と開き側枠縁を有する。外側フレーム２０のピボッポ側枠縁は、固定フレーム１０に旋回自在に接続されている。外側フレーム２０の開き側枠縁は、少なくとも１つの外側主ストッパ１１及び少なくとも１つの外側副ストッパ１２と対応している。外側フレーム２０が固定フレーム１０に対して旋回すると、外側フレーム２０の開き側枠縁が固定フレーム１０に対して選択的に開閉される。
【００１２】
内側フレーム３０は外側フレーム２０に取り付けられると共に旋回自在に接続され、ピボット側枠縁と、開き側枠縁と、少なくとも１つの内側主ストッパ３１と、少なくとも１つの内側主ストッパ３２とを有する。内側フレーム３０のピボッポ側枠縁は、外側フレーム２０のピボット側枠縁に旋回自在に接続されている。内側フレーム３０の開き側枠縁は、外側フレーム２０の開き側枠縁と対応している。内側フレーム３０が外側フレーム２０に対して旋回すると、内側フレーム３０の開き側枠縁が外側フレーム２０に対して選択的に開閉される。
【００１３】
少なくとも１つの内側主ストッパ３１は、内側フレーム３０の外周面に固定取り付けされ、内側フレーム３０の開き側枠縁と対応している。少なくとも１つの内側主ストッパ３１の各々は、第３の停止突起３１１と第４の停止突起３１２を有する。第３の停止突起３１１は、内側主ストッパ３１から突出している。第４の停止突起３１２は内側主ストッパ３１から突出し、第３の停止突起３１１に隣接している。好ましくは、第３の停止突起３１１と第４の停止突起３１２が一体状に形成される。
【００１４】
少なくとも１つの内側副ストッパ３２は、内側フレーム３０の外周面に固定取り付けされ、内側フレーム３０の開き側枠縁と対応し、少なくとも１つの内側主ストッパ３１と縦方向に整列して配置されている。少なくとも１つの内側副ストッパ３２の各々は、当該内側副ストッパ３２から突出した内側停止突起３２１を有している。
【００１５】
ロック装置４０は外側フレーム２０の開き側枠縁に取り付けられ、外側スライドパネル４１と、少なくとも１つの外側主制限突起４１１と、少なくとも１つの外側副制限突起４１２と、内側スライドパネル４２と、少なくとも１つの内側主制限突起４２１と、少なくとも１つの内側副制限突起４２２と、取っ手組立体（ハンドルアセンブリ）４３とを有する。
【００１６】
更に図４を参照すると、外側スライドパネル４１は細長く、外側フレーム２０の外周面に取り付けられ、外側フレーム２０の開き側枠縁と対応している。少なくとも１つの外側主制限突起４１１は、外側スライドパネル４１に取り付けられている。少なくとも１つの外側主制限突起４１１の各々は、固定フレーム１０の少なくとも１つの外側主ストッパ１１の１つと対応し、外側主ストッパ１１の第１及び第２の停止突起１１１，１１２と選択的に係合する。少なくとも１つの外側副制限突起４１２は、外側スライドパネル４１に取り付けられている。少なくとも１つの外側副制限突起４１２の各々は、固定フレーム１０の少なくとも１つの外側主ストッパ１２の１つと対応し、外側副ストッパ１２の外側停止突起１２１と選択的に係合する。
【００１７】
内側スライドパネル４２は細長く、外側フレーム２０の内周面に取り付けられ、外側フレーム２０の開き側枠縁と対応している。少なくとも１つの内側主制限突起４２１は、内側スライドパネル４２に取り付けられている。少なくとも１つの内側主制限突起４２１の各々は、内側フレーム３０の少なくとも１つの内側主ストッパ３１の１つと対応し、内側主ストッパ３１の第３及び第４の停止突起３１１，３１２と選択的に係合する。少なくとも１つの内側副制限突起４２２は、内側スライドパネル４２に取り付けられている。少なくとも１つの内側副制限突起４２２の各々は、内側フレーム３０の少なくとも１つの内側副ストッパ３２の１つと対応し、内側副ストッパ３２の内側停止突起３２１と選択的に係合する。
【００１８】
取っ手組立体４３は外側フレーム２０に取り付けられ、外側及び内側スライドパネル４１，４２に接続され、少なくとも１つの取っ手４３１を有する。少なくとも１つの取っ手４３１は外側フレーム２０に取り付けられ、外側及び内側スライドパネル４１，４２に接続されると共に、それら両スライドパネルを作動する。図示の２つの取っ手４３１は、外側フレーム２０の内面と外面にそれぞれ取り付けられ、相互に接続されると共に、相互によって作動される。つまり、一方の取っ手４３１が回されると、外側及び内側スライドパネル４１，４２が上方または下方にスライドする。
【００１９】
以下の説明では、外側及び内側スライドパネル４１，４２が同じ方向にスライドするものとする。
【００２０】
図１から図４を参照すれば、外側スライドパネル４１上の少なくとも１つの外側主制限突起４１１が外側主ストッパ１１の第１の停止突起１１１と係合し、且つ外側スライドパネル４１上の少なくとも１つの外側副制限突起４１２が外側副ストッパ１２の外側停止突起１２１と係合するとき、外側フレーム２０は固定フレーム１０に対して閉じられる。また、内側スライドパネル４２上の少なくとも１つの内側主制限突起４２１が内側主ストッパ３１の第３の停止突起３１１と係合し、且つ内側スライドパネル４２上の少なくとも１つの内側副制限突起４２２が内側副ストッパ３２の内側停止突起３２１と係合するとき、内側フレーム３０が外側フレーム２０に対して閉じられる。すなわち、外側フレーム２０と内側フレーム３０の両方が閉じられる。
【００２１】
更に図５及び図６を参照すれば、少なくとも１つの取っ手４３１が回されると、外側及び内側スライドパネル４１，４２が同時に下方にスライドする。そして、内側スライドパネル４２上の少なくとも１つの内側副制限突起４２２が内側副ストッパ３２の内側停止突起３２１から外れる一方、内側スライドパネル４２上の内側主制限突起４２１は内側主ストッパ３１の第４の停止突起３１２と係合している。そのため、内側フレーム３０は外側フレーム２０に対して閉じたままである。しかしながら、外側スライドパネル４１上の少なくとも１つの外側主制限突起４１１は外側主ストッパ１１の第１及び第２の停止突起１１１，１１２の間に位置しており、また外側スライドパネル４１上の少なくとも１つの外側副制限突起４１２が外側副ストッパ１２の外側停止突起１２１から外れているため、外側フレーム２０は固定フレーム１０に対して開かれる。従って、外側フレーム２０を押すと、外側及び内側両フレーム２０，３０が同時に旋回し、固定フレーム１０に対して開かれる。
【００２２】
更に図７及び図８を参照すれば、少なくとも１つの取っ手４３１が更に回され、外側及び内側スライドパネル４１，４２が更に下方にスライドすると、内側スライドパネル４２上の少なくとも１つの内側主制限突起４２１が内側主ストッパ３１の第４の停止突起３１２から外れるため、内側フレーム３０が外側フレーム２０に対して開かれる。しかしながら、外側スライドパネル４１上の少なくとも１つの外側主制限突起４１１が外側主ストッパ１１の第２の停止突起１１２と係合するため、外側フレーム２０は固定フレーム１０に対し閉じられる。従って、内側フレーム３０を引くと、内側フレーム３０が外側フレーム２０に対して開かれる。つまり、まず内側フレーム３０を開いて屋外の状況を見て判断してから、ドアパネル（窓）を開くかどうか決めることができる。
【００２３】
次に図９を参照すると、本発明に基づく多段ロックの第２の好ましい実施形態においては、固定フレーム１０の少なくとも１つの外側主ストッパ１１Ａの各々が当該外側主ストッパ１１Ａから突出した停止突起１１３Ａを有し、内側フレーム３０の少なくとも１つの外側主ストッパ３１Ａの各々が当該内側主ストッパ３１Ａから突出した停止突起３１３Ａを有する。
【００２４】
ロック装置４０は少なくとも１つの第１の外側主制限突起４１３Ａと、少なくとも１つの第２の外側主制限突起４１４Ａと、少なくとも１つの第３の内側主制限突起４２３Ａと、少なくとも１つの第４の内側主制限突起４２４Ａとを有する。
【００２５】
少なくとも１つの第１の外側主制限突起４１３Ａは、外側スライドパネル４１に取り付けられている。少なくとも１つの第２の外側主制限突起４１４Ａも、外側スライドパネル４１に取り付けられている。少なくとも１つの第２の外側主制限突起４１４Ａの各々は、少なくとも１つの第１の外側主制限突起４１３Ａの対応するものから離れている。少なくとも１つの第１の外側主制限突起４１３Ａの各々及び少なくとも１つの第２の外側主制限突起４１４Ａの各々は、少なくとも１つの外側主ストッパ１１Ａの１つと対応し、当該外側主ストッパ１１Ａの停止突起１１３Ａと選択的に係合する。
【００２６】
少なくとも１つの第３の内側主制限突起４２３Ａは、内側スライドパネル４２に取り付けられている。少なくとも１つの第４の内側主制限突起４２４Ａも、内側スライドパネル４２に取り付けられている。少なくとも１つの第４の内側主制限突起４２４Ａの各々は、少なくとも１つの第３の内側主制限突起４２３Ａの対応するものに隣接して位置する。少なくとも１つの第３の内側主制限突起４２３Ａの各々及び少なくとも１つの第４の内側主制限突起４２４Ａの各々は、少なくとも１つの内側主ストッパ３１Ａの１つと対応し、当該内側主ストッパ３１Ａの停止突起３１３Ａと選択的に係合する。
【００２７】
従って、更に図１０及び図１１を参照すれば、少なくとも１つの取っ手４３１が回され、外側スライドパネル４１上の少なくとも１つの第１の外側主制限突起４１３Ａが対応する外側主ストッパ１１Ａの停止突起１１３Ａと係合あるいは離脱可能になり、且つ内側スライドパネル４２上の少なくとも１つの第３の内側主制限突起４２３Ａが対応する内側主ストッパ３１Ａの停止突起３１３Ａと係合あるいは離脱可能になることで、外側フレーム２０が固定フレーム１０に対して開閉され、また内側フレーム３０が外側フレーム２０に対して開閉される。
【００２８】
以上説明した多段ロックは、次の利点を有する。ストッパ１１、１２、３１、３２、１１Ａ、３１Ａの停止突起１１１、１１２、１２１、３１１、３１２、３２１、１１３Ａ、３１３Ａとスライドパネル４１、４２上の制限突起４１１、４１２、４２１、４２２、４１３Ａ、４１４Ａ、４２３Ａ、４２４Ａとの相対的な位置関係に基づき、少なくとも１つの取っ手４３１が回されたときに、スライドパネル４１、４２上の制限突起４１１、４１２、４２１、４２２、４１３Ａ、４１４Ａ、４２３Ａ、４２４Ａがストッパ１１、１２、３１、３２、１１Ａ、３１Ａの停止突起１１１、１１２、１２１、３１１、３１２、３２１、１１３Ａ、３１３Ａに対して選択的に係合及び離脱する。その結果、内側及び外側フレーム２０が選択的に開かれる。本多段ロックは簡単な構造を有し、屋外の状況や天候に基づき、ドアパネル（窓）を開くかどうかを決めるのを可能とする。
【符号の説明】
【００２９】
１０…固定フレーム、
１１…外側主ストッパ、
１１１…第１の停止突起、
１１２…第２の停止突起、
１２…外側副ストッパ、
１２１…外側停止突起、
２０…外側フレーム、
３０…内側フレーム、
３１…内側主ストッパ、
３１１…第３の停止突起、
３１２…第４の停止突起、
３２…内側副ストッパ、
３２１…内側停止突起、
４０…ロック装置、
４１…外側スライドパネル、
４１１…外側主制限突起、
４１２…外側副制限突起、
４２…内側スライドパネル、
４２１…内側主制限突起、
４２２…内側副制限突起、
４３…取っ手組立体、
４３１…取っ手。
【図１】
2011220097.tif 000003
【図２】
2011220097.tif 000004
【図３】
2011220097.tif 000005
【図４】
2011220097.tif 000006
【図５】
2011220097.tif 000007
【図６】
2011220097.tif 000008
【図７】
2011220097.tif 000009
【図８】
2011220097.tif 000010
【図９】
2011220097.tif 000011
【図１０】
2011220097.tif 000012
【図１１】
2011220097.tif 000013